(57)【要約】【課題】無線制御装置間で通信回線を共有して保持したたま、通信回線設定手順の増大を抑制しつつ、無線制御装置間で捕捉される通信回線の重複を低減する。【解決手段】自己の無線制御装置１２ａ、１２ｂを識別する自装置番号および相手の無線制御装置１２ａ、１２ｂを識別する他装置番号との間の相関関係から導かれる自己の無線制御装置１２ａ、１２ｂの選択順位を群に対応させ、自己の無線制御装置１２ａ、１２ｂの選択順位に対応する群の中から予め決められた検索処理に従って空き回線を選択する。【選択図】      図１
2008228052.tif 000002
【特許請求の範囲】
【請求項１】
自己の無線制御装置を識別する自装置番号および通信回線を互いに共有する他の無線制御装置を識別する他装置番号を保持する識別情報保持手段と、
前記自装置番号および前記他装置番号との間の相関関係に基づいて定められた回線の選択順序に従って、前記通信回線の中から空き回線を選択する回線選択手段とを備えることを特徴とする無線制御装置。
【請求項２】
前記無線制御装置に割り当てられる回線の番号に基づいて、前記無線制御装置にそれぞれ割り当て可能な回線を重複しないように幾つかの群に分けて管理することを特徴とする請求項１記載の無線制御装置。
【請求項３】
前記通信回線を互いに共有する無線制御装置の個数で前記回線の番号を割った余剰が同一となる回線ごとに前記群を管理し、前記自装置番号および前記他装置番号との間の相関関係から導かれる自己の無線制御装置の選択順位を前記群に対応させ、前記自己の無線制御装置の選択順位に対応する群の中から予め決められた検索処理に従って前記空き回線を選択することを特徴とする請求項２記載の無線制御装置。
【請求項４】
前記無線制御装置の選択順位に対応する群の中の回線の選択順序が前記群ごとに異なることを特徴とする請求項３記載の無線制御装置。
【請求項５】
自己の無線制御装置の選択順位に対応する群の中に空き回線がない場合、他の無線制御装置の選択順位に対応する群の中から互いに異なる選択順序で空き回線を選択することを特徴とする請求項３または４記載の無線制御装置。
【請求項６】
前記自装置番号および前記他装置番号との間の大小関係に基づいて、他の無線制御装置とは異なる順序で回線の番号を検索することにより、前記通信回線の中から空き回線を選択することを特徴とする請求項１記載の無線制御装置。
【請求項７】
移動体との間で通信リンクを設定する基地局と、
第１の通信エリアにおいて移動体と基地局との間に設定される通信リンクを制御する第１の無線制御装置と、
第２の通信エリアにおいて移動体と基地局との間に設定される通信リンクを制御し、前記第１の無線制御装置との間で通信回線を互いに共有する第２の無線制御装置とを備え、
前記第１の無線制御装置は、前記第１の無線制御装置の番号および前記第２の無線制御装置の番号との間の相関関係に基づいて定められた回線の選択順序に従って、前記第２の無線制御装置と互いに共有する通信回線の中から空き回線を選択することを特徴とする無線通信システム。
【請求項８】
通信回線を互いに共有する無線制御装置にそれぞれ割り当て可能な回線を重複しないように幾つかの群に分けて管理するステップと、
前記無線制御装置を識別する番号の相関関係に基づいて前記群を特定し、特定された群の中から空き回線を選択するステップとを備えることを特徴とする通信リソース選択方法。
【請求項９】
無線制御装置間で互いに共有する通信回線の中から、前記無線制御装置ごとに互いに異なる選択順序で空き回線を選択することにより、前記無線制御装置間に設定される回線を捕捉することを特徴とする通信リソース選択方法。
【発明の詳細な説明】
【技術分野】
【０００１】
本発明は無線制御装置、無線通信システムおよび通信リソース選択方法に関し、特に、無線制御装置間に設けられた通信回線の中から空き回線を選択する方法に適用して好適なものである。
【背景技術】
【０００２】
ＩＭＴ２０００規格に準拠した移動無線体通信システムにおいて、無線区間の通信リンクを制御する無線制御装置には、移動体との無線通信リンクを制御する上で必要となる加入者情報が、通信を実施している移動体ごとに格納され管理されている。
図４は、従来の無線制御装置が適用される無線通信システムの概略構成を示すブロック図である。
【０００３】
図４において、無線制御装置２ａ、２ｂはコアネットワーク１に接続されるとともに、無線制御装置２ａの管理下には基地局５ａ、５ｂが設けられ、無線制御装置２ｂの管理下には基地局５ｃ、５ｄが設けられている。そして、無線制御装置２ａには、無線制御装置２ａ、２ｂ間に設けられた通信回線の中から空き回線を捕捉する回線捕捉処理手段３ａが設けられ、回線捕捉処理手段３ａには、移動体６ａとの無線通信リンクを制御する上で必要となる加入者情報４ａが保持されている。
【０００４】
そして、移動体６ａが移動した場合、無線制御装置２ａは、移動体６ａと基地局５ａ、５ｂに設定される通信リンクを品質の良い方に次々と切り替えることで、移動体６ａとの通信を継続したまま移動体６ａの移動を実現することができる。
また、無線制御装置２ａが管理する通信エリアにおいて通信を行う移動体６ａが、異なる無線制御装置２ｂが管理する通信エリアに移動した場合、無線制御装置２ａは、移動体６ａの加入者情報４ａを保持したまま、無線制御装置２ｂとの間で通信回線を設定する。
そして、無線制御装置２ａは、無線制御装置２ｂとの間で設定された通信回線を介し、無線制御装置２ｂの配下にある基地局５ｃと移動体６ａとの間で通信リンクを設定することにより、無線制御装置２ｂが管理する通信エリアでの移動体６ａとの通信を実現することができる。
【０００５】
図５および図６は、従来の無線制御装置の回線捕捉方法を示すブロック図である。
図５および図６において、無線通信システムには、無線制御装置２ａ、２ｂにてそれぞれ管理される通信エリアＲ１、Ｒ２が設定されている。また、無線制御装置２ａ、２ｂ間には、無線制御装置２ａ、２ｂ間で通信を行うための通信回線が設定されている。そして、無線制御装置２ａ、２ｂには、無線制御装置２ａ、２ｂ間に設けられた通信回線Ｋ１〜Ｋ４の中から空き回線を捕捉する回線捕捉処理手段３ａ、３ｂがそれぞれ設けられ、回線捕捉処理手段３ａ、３ｂには、移動体６ａ、６ｂとの無線通信リンクを制御する上で必要となる加入者情報４ａ、４ｂがそれぞれ保持されている。
【０００６】
そして、図５に示すように、通信エリアＲ１において通信を行う移動体６ａが通信エリアＲ２に移動した場合、回線捕捉処理手段３ａは、無線制御装置２ａ、２ｂ間に設定された通信回線Ｋ１〜Ｋ４の中から空き回線を選択し、その選択した回線の番号を無線制御装置２ｂに通知する。ここで、空き回線が複数ある場合、番号の小さな空き回線を選択し、その選択した回線の番号を無線制御装置２ｂに通知することができる。
【０００７】
例えば、無線制御装置２ａ、２ｂ間に設定された通信回線Ｋ１〜Ｋ４にそれぞれ回線番号＃１〜＃４が付与されているものとする。そして、無線制御装置２ａ、２ｂ間に設定された通信回線Ｋ１〜Ｋ４のうち、通信回線Ｋ１が使用中で通信回線Ｋ２〜Ｋ４が空き回線の場合、回線捕捉処理手段３ａは通信回線Ｋ２を選択し、その回線番号＃２を無線制御装置２ｂに通知することができる。
【０００８】
そして、無線制御装置２ａは、無線制御装置２ｂとの間で設定された通信回線Ｋ２を介し、通信エリアＲ２に移動した移動体６ａとの間で通信リンクを設定することにより、通信エリアＲ２での移動体６ａとの通信を実現することができる。
この回線捕捉方法では、回線捕捉処理手段３ａが通信回線Ｋ２を選択した場合、その回線番号＃２を無線制御装置２ｂに通知するだけでよいため、無線制御装置２ｂに通信回線Ｋ１〜Ｋ４の空き状況を確認しその応答に従って回線を捕捉する方法と比べて、無線制御装置２ａ、２ｂ間における通信回線設定手順を削減することができる。
【０００９】
また、例えば、特許文献１には、各々ある伝送レートを有し、コード多重方式により一のキャリア内に共存することが可能な複数の回線と、各々所定の帯域幅を有する複数のコードリソースと、前記複数のコードリソースのうち未使用のコードリソースの少なくとも一部を、必要とされる伝送レートに応じて前記複数の回線の各々に割り当てるコードリソース割当手段とを設ける方法が開示されている。
【特許文献１】特開２００６−８１２１８号公報
【発明の開示】
【発明が解決しようとする課題】
【００１０】
しかしながら、図６に示すように、通信エリアＲ１において通信を行う移動体６ａが通信エリアＲ２に移動すると同時に、通信エリアＲ２において通信を行う移動体６ｂが通信エリアＲ１に移動した場合、回線捕捉処理手段３ａ、３ｂは、通信回線Ｋ１〜Ｋ４の中から空き回線をそれぞれ独立に選択することから、回線捕捉処理手段３ａ、３ｂにてそれぞれ選択された通信回線Ｋ１〜Ｋ４が重複し、回線捕捉処理手段３ａ、３ｂの一方または双方の回線捕捉が失敗するという問題があった。
例えば、無線制御装置２ａ、２ｂ間に設定された通信回線Ｋ１〜Ｋ４のうち、通信回線Ｋ１が使用中で通信回線Ｋ２〜Ｋ４が空き回線の場合、回線捕捉処理手段３ａ、３ｂはいずれも通信回線Ｋ２を選択するため、回線捕捉処理手段３ａ、３ｂにて選択される通信回線Ｋ２が重複する。
【００１１】
一方、このような回線捕捉処理において、回線捕捉処理手段３ａ、３ｂにて選択された通信回線Ｋ２の重複を防止するため、回線捕捉処理手段３ａ、３ｂが捕捉可能な通信回線Ｋ１〜Ｋ４を回線捕捉処理手段３ａ、３ｂごとに予め分割して保持する方法や、通信回線Ｋ１〜Ｋ４の空き状況を相手の無線制御装置２ａ、２ｂに確認する手順を踏んだ上で空き回線を捕捉する方法がある。
しかし、回線捕捉処理手段３ａ、３ｂが捕捉可能な通信回線Ｋ１〜Ｋ４を回線捕捉処理手段３ａ、３ｂごとに予め分割して保持する方法では、無線制御装置２ａ、２ｂごとに固有の通信回線Ｋ１〜Ｋ４を設ける必要があることから、通信回線Ｋ１〜Ｋ４の利用効率が低下し、回線コストの増大を招くという問題があった。
【００１２】
また、通信回線Ｋ１〜Ｋ４の空き状況を相手の無線制御装置２ａ、２ｂに確認する手順を踏んだ上で空き回線を捕捉する方法では、無線制御装置２ａ、２ｂ間における通信回線設定手順が増大するという問題があった。
そこで、本発明の目的は、無線制御装置間で通信回線を共有して保持したたま、通信回線設定手順の増大を抑制しつつ、無線制御装置間で捕捉される通信回線の重複を低減することが可能な無線制御装置、無線通信システムおよび通信リソース選択方法を提供することである。
【課題を解決するための手段】
【００１３】
上述した課題を解決するために、請求項１記載の無線制御装置によれば、自己の無線制御装置を識別する自装置番号および通信回線を互いに共有する他の無線制御装置を識別する他装置番号を保持する識別情報保持手段と、前記自装置番号および前記他装置番号との間の相関関係に基づいて定められた回線の選択順序に従って、前記通信回線の中から空き回線を選択する回線選択手段とを備えることを特徴とする。
また、請求項２記載の無線制御装置によれば、前記無線制御装置に割り当てられる回線の番号に基づいて、前記無線制御装置にそれぞれ割り当て可能な回線を重複しないように幾つかの群に分けて管理することを特徴とする。
【００１４】
また、請求項３記載の無線制御装置によれば、前記通信回線を互いに共有する無線制御装置の個数で前記回線の番号を割った余剰が同一となる回線ごとに前記群を管理し、前記自装置番号および前記他装置番号との間の相関関係から導かれる自己の無線制御装置の選択順位を前記群に対応させ、前記自己の無線制御装置の選択順位に対応する群の中から予め決められた検索処理に従って前記空き回線を選択することを特徴とする。
また、請求項４記載の無線制御装置によれば、前記無線制御装置の選択順位に対応する群の中の回線の選択順序が前記群ごとに異なることを特徴とする。
【００１５】
また、請求項５記載の無線制御装置によれば、自己の無線制御装置の選択順位に対応する群の中に空き回線がない場合、他の無線制御装置の選択順位に対応する群の中から互いに異なる選択順序で空き回線を選択することを特徴とする。
また、請求項６記載の無線制御装置によれば、前記自装置番号および前記他装置番号との間の大小関係に基づいて、他の無線制御装置とは異なる順序で回線の番号を検索することにより、前記通信回線の中から空き回線を選択することを特徴とする。
【００１６】
また、請求項７記載の無線通信システムによれば、移動体との間で通信リンクを設定する基地局と、第１の通信エリアにおいて移動体と基地局との間に設定される通信リンクを制御する第１の無線制御装置と、第２の通信エリアにおいて移動体と基地局との間に設定される通信リンクを制御し、前記第１の無線制御装置との間で通信回線を互いに共有する第２の無線制御装置とを備え、前記第１の無線制御装置は、前記第１の無線制御装置の番号および前記第２の無線制御装置の番号との間の相関関係に基づいて定められた回線の選択順序に従って、前記第２の無線制御装置と互いに共有する通信回線の中から空き回線を選択することを特徴とする。
【００１７】
また、請求項８記載の通信リソース選択方法によれば、通信回線を互いに共有する無線制御装置にそれぞれ割り当て可能な回線を重複しないように幾つかの群に分けて管理するステップと、前記無線制御装置を識別する番号の相関関係に基づいて前記群を特定し、特定された群の中から空き回線を選択するステップとを備えることを特徴とする。
また、請求項９記載の通信リソース選択方法によれば、無線制御装置間で互いに共有する通信回線の中から、前記無線制御装置ごとに互いに異なる選択順序で空き回線を選択することにより、前記無線制御装置間に設定される回線を捕捉することを特徴とする。
【発明の効果】
【００１８】
以上説明したように、本発明によれば、無線制御装置間で共有される通信回線の中から回線を選択する時に、相手の無線制御装置にて選択される回線の優先順位を下げることが可能となる。このため、無線制御装置間で通信回線を共有した場合においても、通信回線の空き状況を相手の無線制御装置に確認する手順を踏むことなく、無線制御装置間で捕捉される通信回線の重複を低減することが可能となり、通信回線の利用効率の低下を抑制しつつ、回線捕捉の失敗を低減することができる。
【発明を実施するための最良の形態】
【００１９】
以下、本発明の実施形態に係る無線制御装置について図面を参照しながら説明する。
図１は、本発明の一実施形態に係る無線制御装置の概略構成を示すブロック図である。
図１において、無線制御装置１２ａ、１２ｂには、無線制御装置１２ａ、１２ｂ間に設けられた通信回線Ｋ１〜Ｋ４の中から空き回線を捕捉する回線捕捉処理手段１３ａ、１３ｂがそれぞれ設けられている。
【００２０】
そして、回線捕捉処理手段１３ａ、１３ｂには、図６の移動体６ａ、６ｂとの無線通信リンクを制御する上で必要となる加入者情報１４ａ、１４ｂがそれぞれ保持されている。また、回線捕捉処理手段１３ａ、１３ｂには、無線制御装置１２ａ、１２ｂをそれぞれ識別する装置識別情報１５ａ、１５ｂがそれぞれ保持されている。なお、装置識別情報１５ａ、１５ｂとしては、自己の無線制御装置１２ａ、１２ｂを識別する自装置番号および通信回線Ｋ１〜Ｋ４を互いに共有する相手の無線制御装置１２ａ、１２ｂを識別する他装置番号を用いることができる。例えば、無線制御装置１２ａには装置番号として＃１、無線制御装置２ｂには装置番号として＃２を付与し、この装置番号によって無線制御装置１２ａ、１２ｂを識別することができる。
【００２１】
さらに、回線捕捉処理手段１３ａ、１３ｂには、回線捕捉処理において、無線制御装置１２ａ、１２ｂ間で互いに共有する通信回線Ｋ１〜Ｋ４の中から空き回線を選択する回線選択手段１６ａ、１６ｂがそれぞれ設けられている。
ここで、回線捕捉処理手段１３ａ、１３ｂは、自己の無線制御装置１２ａ、１２ｂを識別する自装置番号および相手の無線制御装置１２ａ、１２ｂを識別する他装置番号との間の相関関係に基づいて定められた回線の選択順序に従って、通信回線Ｋ１〜Ｋ４の中から空き回線を選択することができる。
【００２２】
なお、通信回線Ｋ１〜Ｋ４の中から空き回線を選択する場合、自己の無線制御装置１２ａ、１２ｂに割り当てられる通信回線Ｋ１〜Ｋ４を特定する情報を通信データに付与することで、通信回線Ｋ１〜Ｋ４を無線制御装置１２ａ、１２ｂに割り当てることができる。
例えば、ＡＴＭ方式によるＱ．ＡＡＬ２信号送受信では、各通信回線Ｋ１〜Ｋ４を特定する情報として、Ｃｈａｎｎｅｌ  ＩＤを割り当てることができ、このＣｈａｎｎｅｌ  ＩＤを通信データに付与して送信することで、相手の無線制御装置１２ａ、１２ｂは各通信呼ごとの通信データを振り分けることができる。
【００２３】
また、通信回線Ｋ１〜Ｋ４の中から空き回線を選択するに当たり、回線捕捉処理手段１３ａ、１３ｂは、無線制御装置１２ａ、１２ｂに割り当てられる通信回線Ｋ１〜Ｋ４の番号に基づいて、無線制御装置１２ａ、１２ｂにそれぞれ割り当て可能な通信回線Ｋ１〜Ｋ４を重複しないように幾つかの群に分けて管理することができる。例えば、通信回線Ｋ１〜Ｋ４を互いに共有する無線制御装置１２ａ、１２ｂの個数で通信回線Ｋ１〜Ｋ４の番号を割った余剰が同一となる通信回線Ｋ１〜Ｋ４ごとに群を管理することができる。
【００２４】
そして、自己の無線制御装置１２ａ、１２ｂを識別する自装置番号および相手の無線制御装置１２ａ、１２ｂを識別する他装置番号との間の相関関係から導かれる自己の無線制御装置１２ａ、１２ｂの選択順位を群に対応させ、自己の無線制御装置１２ａ、１２ｂの選択順位に対応する群の中から予め決められた検索処理に従って空き回線を選択することができる。
ここで、無線制御装置１２ａ、１２ｂの選択順位に対応する群の中の通信回線Ｋ１〜Ｋ４の選択順序が群ごとに異なっていてもよく、自己の無線制御装置１２ａ、１２ｂの選択順位に対応する群の中に空き回線がない場合、相手の無線制御装置１２ａ、１２ｂの選択順位に対応する群の中から互いに異なる選択順序で空き回線を選択するようにしてもよい。
【００２５】
例えば、通信回線Ｋ１〜Ｋ４のうち通信回線Ｋ２、Ｋ４を第１の群として管理し、通信回線Ｋ１、Ｋ３を第２の群として管理することができる。そして、回線捕捉処理において、無線制御装置１２ａは、第１の群の通信回線Ｋ２、Ｋ４の中から最小番号の空き回線を選択し、無線制御装置１２ｂは、第２の群の通信回線Ｋ１、Ｋ３の中から最小番号の空き回線を選択することができる。
そして、回線捕捉処理において、通信回線Ｋ１、Ｋ３が使用中の場合、無線制御装置１２ｂは、第１の群の通信回線Ｋ２、Ｋ４の中から最老番号の空き回線を選択することができる。
【００２６】
あるいは、通信回線Ｋ１〜Ｋ４の中から空き回線を選択するに当たり、回線捕捉処理手段１３ａ、１３ｂは、自己の無線制御装置１２ａ、１２ｂを識別する自装置番号および相手の無線制御装置１２ａ、１２ｂを識別する他装置番号との間の大小関係に基づいて、相手の無線制御装置１２ａ、１２ｂとは異なる順序で通信回線Ｋ１〜Ｋ４の番号を検索することにより、通信回線Ｋ１〜Ｋ４の中から空き回線を選択することができる。
【００２７】
例えば、回線捕捉処理において、無線制御装置１２ａは、通信回線Ｋ１〜Ｋ４の中から最小番号の空き回線を選択し、無線制御装置１２ｂは、通信回線Ｋ１〜Ｋ４の中から最老番号の空き回線を選択することができる。
これにより、無線制御装置１２ａ、１２ｂ間で共有される通信回線Ｋ１〜Ｋ４の中から空き回線を選択する時に、相手の無線制御装置１２ａ、１２ｂにて選択される空き回線の優先順位を下げることが可能となる。このため、無線制御装置１２ａ、１２ｂ間で通信回線Ｋ１〜Ｋ４を共有した場合においても、通信回線Ｋ１〜Ｋ４の空き状況を相手の無線制御装置１２ａ、１２ｂに確認する手順を踏むことなく、無線制御装置１２ａ、１２ｂ間で捕捉される通信回線Ｋ１〜Ｋ４の重複を低減することが可能となり、通信回線Ｋ１〜Ｋ４の利用効率の低下を抑制しつつ、回線捕捉の失敗を低減することができる。
【００２８】
図２は、本発明の一実施形態に係る無線制御装置の回線捕捉処理の一例を示すフローチャートである。
図２において、図６の通信エリアＲ１、Ｒ２には移動体６ａ、６ｂがそれぞれ存在し、無線制御装置１２ａ、１２ｂには、移動体６ａ、６ｂとの無線通信リンクを制御する上で必要となる加入者情報１４ａ、１４ｂがそれぞれ保持されているものとする。
【００２９】
そして、通信エリアＲ１において通信を行う移動体６ａが通信エリアＲ２に移動すると同時に、通信エリアＲ２において通信を行う移動体６ｂが通信エリアＲ１に移動した場合、図１の回線捕捉処理手段１３ａ、１３ｂは、自己の無線制御装置１２ａ、１２ｂを識別する自装置番号および相手の無線制御装置１２ａ、１２ｂを識別する他装置番号との間の大小関係を判断する（ステップＳ１）。そして、回線選択手段１６ａ、１６ｂは、自装置番号が他装置番号よりも小さい場合、通信回線Ｋ１〜Ｋ４の中から偶数番号回線の空き回線を選択し（ステップＳ２）、自装置番号が他装置番号よりも大きい場合、通信回線Ｋ１〜Ｋ４の中から奇数番号回線の空き回線を選択することができる（ステップＳ３）。そして、無線制御装置１２ａ、１２ｂは、その選択した回線の回線番号を相手の無線制御装置１２ａ、１２ｂに通知することができる（ステップＳ４）。
【００３０】
例えば、無線制御装置１２ａの装置番号は、相手の無線制御装置１２ｂの装置番号よりも若番であることから、無線制御装置１２ａは、通信回線Ｋ１〜Ｋ４のうちの偶数番号の通信回線Ｋ２、Ｋ４の空き回線の中から最小番号の通信回線Ｋ２を選択することができる。
一方、無線制御装置１２ｂの装置番号は、相手の無線制御装置１２ａの装置番号よりも老番であることから、無線制御装置１２ｂは、通信回線Ｋ１が使用中であるとすると、通信回線Ｋ１〜Ｋ４のうちの奇数番号の通信回線Ｋ１、Ｋ３の空き回線の中から最小番号の通信回線Ｋ３を選択することができる。
【００３１】
また、通信回線Ｋ３が使用中であった場合、無線制御装置１２ｂは、通信回線Ｋ１〜Ｋ４のうちの偶数番号の通信回線Ｋ２、Ｋ４の中から最老番号の通信回線Ｋ４を空き回線として選択することができる。
そして、無線制御装置１２ａが通信回線Ｋ２を選択し、無線制御装置１２ｂが通信回線Ｋ３を選択すると、無線制御装置１２ａは、無線制御装置１２ｂとの間で設定された通信回線Ｋ２を介し、通信エリアＲ２に移動した移動体６ａとの間で通信リンクを設定することにより、通信エリアＲ２での移動体６ａとの通信を実現することが可能となるとともに、無線制御装置１２ｂは、無線制御装置１２ａとの間で設定された通信回線Ｋ３を介し、通信エリアＲ１に移動した移動体６ｂとの間で通信リンクを設定することにより、通信エリアＲ１での移動体６ｂとの通信を実現することが可能となる。
【００３２】
図３は、本発明の一実施形態に係る無線制御装置の回線捕捉処理のその他の例を示すフローチャートである。
図３において、通信エリアＲ１において通信を行う移動体６ａが通信エリアＲ２に移動すると同時に、通信エリアＲ２において通信を行う移動体６ｂが通信エリアＲ１に移動した場合、図１の回線捕捉処理手段１３ａ、１３ｂは、自己の無線制御装置１２ａ、１２ｂを識別する自装置番号および相手の無線制御装置１２ａ、１２ｂを識別する他装置番号との間の大小関係を判断する（ステップＳ１１）。そして、回線選択手段１６ａ、１６ｂは、自装置番号が他装置番号よりも小さい場合、通信回線Ｋ１〜Ｋ４の中から最大番号の空き回線を選択し（ステップＳ１２）、自装置番号が他装置番号よりも大きい場合、通信回線Ｋ１〜Ｋ４の中から最小番号の空き回線を選択することができる（ステップＳ１３）。そして、無線制御装置１２ａ、１２ｂは、その選択した回線の回線番号を相手の無線制御装置１２ａ、１２ｂに通知することができる（ステップＳ１４）。
【００３３】
例えば、無線制御装置１２ａの装置番号は、相手の無線制御装置１２ｂの装置番号よりも若番であることから、無線制御装置１２ａは、通信回線Ｋ１が使用中であるとすると、通信回線Ｋ１〜Ｋ４のうちの空き回線Ｋ２〜Ｋ４の中から最小番号の通信回線Ｋ２を選択することができる。
一方、無線制御装置１２ｂの装置番号は、相手の無線制御装置１２ａの装置番号よりも老番であることから、無線制御装置１２ｂは、通信回線Ｋ１が使用中であるとすると、通信回線Ｋ１〜Ｋ４のうちの空き回線Ｋ２〜Ｋ４の中から最老番号の通信回線Ｋ４を選択することができる。
なお、上述した実施形態では、無線制御装置１２ａ、１２ｂ間で通信回線Ｋ１〜Ｋ４の中から空き回線を同時に選択する方法について説明したが、同一の無線制御装置１２ａ、１２ｂ内において並列する機能間の通信経路を確保する方法に適用してもよい。
【図面の簡単な説明】
【００３４】
【図１】本発明の一実施形態に係る無線制御装置の概略構成を示すブロック図である。
【図２】本発明の一実施形態に係る無線制御装置の回線捕捉処理の一例を示すフローチャートである。
【図３】本発明の一実施形態に係る無線制御装置の回線捕捉処理のその他の例を示すフローチャートである。
【図４】従来の無線制御装置が適用される無線通信システムの概略構成を示すブロック図である。
【図５】従来の無線制御装置の回線捕捉方法を示すブロック図である。
【図６】従来の無線制御装置の回線捕捉方法を示すブロック図である。
【符号の説明】
【００３５】
１２ａ、１２ｂ  無線制御装置
１３ａ、１３ｂ  回線捕捉処理手段
１４ａ、１４ｂ  加入者情報
１５ａ、１５ｂ  装置識別情報
１６ａ、１６ｂ  回線選択手段
Ｋ１〜Ｋ４  回線
【図１】
2008228052.tif 000003
【図２】
2008228052.tif 000004
【図３】
2008228052.tif 000005
【図４】
2008228052.tif 000006
【図５】
2008228052.tif 000007
【図６】
2008228052.tif 000008